(57)【特許請求の範囲】
【請求項１】
前後に開口したバックフレームに、その開口部を覆うように前後２枚のメッシュ状又はその他の可撓性バックシートを取り付け可能であり、
前記バックフレームは、上下長手の左右サイドメンバーと、前記左右サイドメンバーの上端に繋がった左右横長のアッパメンバーと、前記左右サイドメンバーの下端に繋がった左右横長のロアメンバーとを有している構成であって、
少なくとも前記サイドメンバーとアッパメンバーとの外周面に、前記２枚のバックシートのうち最も手前に位置した第１バックシートを取り付けるための第１長溝が、それらサイドメンバーとアッパメンバーの長手方向に延びるように形成されており、かつ、少なくとも前記サイドメンバーとアッパメンバーとの前面に、前記２枚のバックシートのうち前記第１バックシートの後ろに位置した第２バックシートを取り付けるための第２長溝が、それらサイドメンバー及びアッパメンバーの長手方向に延びるように形成されており、
前記第１長溝は、前記左右サイドメンバーの個所では左右外向きに開口して、アッパメンバーの個所では上向きに開口している一方、前記第２長溝は、サイドメンバーとはアッパメンバーとのいずれにおいても前向きに開口しており、
前記第１バックシートに設けた縁部材は、前記サイドメンバーの第１長溝に対しては左右方向外側から嵌め込まれて、前記アッパメンバーの第１長溝に対しては上から嵌め込まれる一方、前記第２バックシートに設けた縁部材は、前記サイドメンバー及びアッパメンバーの第２長溝に対して手前から嵌め込まれるように設定されている、
椅子の背もたれ。
【請求項２】
前記サイドメンバーの第１長溝とアッパメンバーの第１長溝とは一連に連続している一方、
前記各第２長溝は、各メンバーの箇所ごとに複数に分断されて一列に並んでいる、
請求項１に記載した椅子の背もたれ。
【請求項３】
前記ロアメンバーの前面に、前記第１バックシートを取り付けるための第１長溝と前記第２バックシートを取り付けるための第２長溝とが、第１長溝が下に位置するようにして形成されており、
前記ロアメンバーにおいては、第１バックシート及び第２バックシートに設けた縁部材は、前記第１長溝及び第２長溝に対して手前から嵌め込まれるようになっている、
請求項１又は２に記載した椅子の背もたれ。
【発明の詳細な説明】
【技術分野】
【０００１】
本願発明は、椅子の背もたれに関するものである。
【背景技術】
【０００２】
椅子の背もたれとして、前後に大きく開口したバックフレームにメッシュ材を取り付けて、着座者の体圧をメッシュ材で指示する構造のものがある。そして、このタイプの背もたれにおいて、メッシュ材の取り付け構造として、バックフレームに長溝を形成して、メッシュ材の外周に取り付けたテープ状等の縁部材を長溝に差し込むことが行われている。
【０００３】
その一例として特許文献１には、バックフレームの外周と内周とに蟻溝を形成して、内外の蟻溝を利用してメッシュ材を取り付けできるようにした構成が開示されている。この特許文献１では、ａ）バックフレームの外周に形成した蟻溝には、バックフレームの前面に重なった装飾地を取り付ける一方、バックフレームの内周に形成した蟻溝には、装飾地の後ろに位置したバックアップ地を取り付け、装飾地とバックアップ地との間に詰物を介在させた態様、ｂ）バックフレームの外周に形成した蟻溝に装飾地を取り付けただけの態様、ｃ）バックフレームの内周に形成した蟻溝に装飾地を取り付けただけの態様、の３つの使用態様を選択できる。
【先行技術文献】
【特許文献】
【０００４】
【特許文献１】特開２００９−２２４９８号公報
【発明の概要】
【発明が解決しようとする課題】
【０００５】
特許文献１のようにメッシュ材を二重構造にすると、詰物を設けることで身体に対する当たりの柔らかさを向上させたり透光性を遮断したりできる等の利点がある。しかし、特許文献１は、後ろ側に位置したバックアップ地はバックフレームの内周面に形成した蟻溝に取り付けているため、バックアップ地を使用せずに装飾地のみを使用して、この装飾地を外周の蟻溝に取り付けた場合、内周の蟻溝が後ろから見えるため美感が良くないおそれがある。
【０００６】
また、特許文献１では、着座者が背もたれに凭れるとバックアップ地又は装飾地にテンションが掛かるが、バックフレームの内周に開口した蟻溝にバックアップ地又は装飾地を取り付けた場合、テンションの作用方向と蟻溝の開口方向とが同じであるため、内周の蟻溝のくびれの度合いが小さいと、内周の蟻溝に嵌まっている部材（係止稈）が抜けやすくなるという問題があり、これを回避するには、蟻溝のくびれの度合いを大きくせねばならないが、例えばバックフレームを射出成形やダイキャストで製造する場合、蟻溝の加工が非常に厄介になるという問題がある。
【０００７】
本願発明は、このような現状を改善すべく成されたものである。
【課題を解決するための手段】
【０００８】
本願発明に掛かる椅子の背もたれは、
前後に開口したバックフレームに、その開口部を覆うように前後２枚のメッシュ状又はその他の可撓性バックシートを取り付け可能であり、
前記バックフレームは、上下長手の左右サイドメンバーと、前記左右サイドメンバーの上端に繋がった左右横長のアッパメンバーと、前記左右サイドメンバーの下端に繋がった左右横長のロアメンバーとを有している、
という基本構成になっている。
【０００９】
そして、請求項１では、上記基本構成において、
少なくとも前記サイドメンバーとアッパメンバーとの外周面に、前記２枚のバックシートのうち最も手前に位置した第１バックシートを取り付けるための第１長溝が、それらサイドメンバーとアッパメンバーの長手方向に延びるように形成されており、かつ、少なくとも前記サイドメンバーとアッパメンバーとの前面に、前記２枚のバックシートのうち前記第１バックシートの後ろに位置した第２バックシートを取り付けるための第２長溝が、それらサイドメンバー及びアッパメンバーの長手方向に延びるように形成されており、
前記第１長溝は、前記左右サイドメンバーの個所では左右外向きに開口して、アッパメンバーの個所では上向きに開口している一方、前記第２長溝は、サイドメンバーとはアッパメンバーとのいずれにおいても前向きに開口しており、
前記第１バックシートに設けた縁部材は、前記サイドメンバーの第１長溝に対しては左右方向外側から嵌め込まれて、前記アッパメンバーの第１長溝に対しては上から嵌め込まれる一方、前記第２バックシートに設けた縁部材は、前記サイドメンバー及びアッパメンバーの第２長溝に対して手前から嵌め込まれるように設定されている。
【００１０】
請求項２の発明は、請求項１において、前記サイドメンバーの第１長溝とアッパメンバーの第１長溝とは一連に連続している一方、前記各第２長溝は、各メンバーの箇所ごとに複数に分断されて一列に並んでいる。
また、請求項３の発明は、請求項１又は２において、前記ロアメンバーの前面に、前記第１バックシートを取り付けるための第１長溝と前記第２バックシートを取り付けるための第２長溝とが、第１長溝が下に位置するようにして形成されており、前記ロアメンバーにおいては、第１バックシート及び第２バックシートに設けた縁部材は、前記第１長溝及び第２長溝に対して手前から嵌め込まれるようになっている。
【発明の効果】
【００１１】
本願発明によると、第１バックシートの後ろに位置した第２バックシートを取り付けるための第２長溝はバックフレームの前面に形成されているため、第２長溝を使用していない状態であっても、前からは第１バックシートに隠れて殆ど見えず、後ろからは全く見えない。このため、第２長溝を使用しないときに美感が悪化するような問題を無くすことができる。
【００１２】
また、第２バックシートを取り付けた場合に、着座した人の体圧で第２バックシートにテンションが掛かった場合、第２バックシートは、椅子の正面視で背もたれの中心に引かれるような作用を受けるが、第２長溝は手前に向いて開口しているため、バックフレームが成形品であって、第２長溝が抜き勾配を有する略等しい溝巾であっても、縁部材の抜けを的確に防止できる。このため、バックフレームを射出成形やダイキャストでも容易に製造することができて、一般性・汎用性に優れている。
【００１３】
第１長溝は左右外側に開口しており、第１バックシートのうちサイドメンバーとアッパメンバーとの外周に位置した周縁部は外側から見えるので、請求項２のようにサイドメンバーとアッパメンバーとの第１長溝を連続させると、第１バックシートの周縁部を途切れることなくサイドメンバーとアッパメンバーとの長溝に押し込み収納できるため、美感に優れている。
【００１４】
他方、第２長溝を断続した状態に形成すると、一列に並んだ多数の第２長溝に第２バックシートの縁部材を嵌め込むことにより、第２バックシートの位置決めをしっかりと行うことができる。このため、使用しているうちに第２バックシートがずれるようなことはない。実施形態のようにコーナー部にも第２長溝を形成しておくと、第２バックシートを背もたれの対角方向に張った状態に保持できるため、特に好適である。
【００１５】
バックフレームのうちロアメンバーは手前や下方に大きく張り出している場合があるが、請求項３の構成を採用すると、このようにロアメンバーが手前や下方に大きく張り出していても、第１バックシートを支障なく取り付けることができる。もとより、条件が許すなら、ロアメンバーの下面（外周面）に第１長溝（及び第２長溝）を形成することも可能である。
【図面の簡単な説明】
【００１６】
【図１】実施形態に係る椅子の外観図で、（Ａ）は斜視図、（Ｂ）は側面視図である。
【図２】椅子の分離斜視図である。
【図３】背もたれの正面図である。
【図４】（Ａ）は図３の IVA-IVA視断面図、（Ｂ）（Ｃ）は（Ａ）の部分拡大図である。
【図５】（Ａ）は図３の VA-VA視断面図、（Ｂ）〜（Ｄ）は単層仕様での断面図である。
【発明を実施するための形態】
【００１７】
次に、本願発明の実施形態を図面に基づいて説明する。なお、以下の説明で方向を示すため「前後」「左右」の文言を使用するが、これらの文言は、ロッキング椅子（以下、単に椅子と称する）に着座した人から見た向きを基準にしている。「正面視」は、着座者と対向した方向から見た状態になる。
【００１８】
(1).概要
まず、図１，２に基づいて椅子の概要を説明する。本実施形態は、事務用のいわゆる回転椅子に適用しており、主要要素として、脚支柱（ガスシリンダ）２及び枝足を有する脚１、脚支柱２の上端に固定したベース３、ベース３の上方に配置された座４、ベース５に後傾動自在に連結された背もたれ５を備えている。図１（Ａ）に部分的に示すように、オプション品として左右の肘掛け６を取り付けることができる。
【００１９】
ベース３は板金製であって、底板と左右側板３ａと前板とを有する上向きに開口の箱状の形態であり、前後方向に長く延びている。ベース３の内部のうち前後中途部にインナーブラケット７を溶接で固定し、インナーブラケット７と底板とに固定したテーパブッシュ８に、脚支柱２の上端を下方から嵌着している。
【００２０】
ベース３を構成する左右側板３ａの上端には、おおよそ脚支柱２よりも手前に位置した左右外向きのサイドフランジ３ｂを設けており、このサイドフランジ３ｂに、中間金具９を前後スライド自在に装着している。他方、座４は、樹脂製の座板１０とその上面に配置したクッション１１とを有しており、座板１０は中間金具９に固定されている。従って、座板１０は、中間金具９と一緒にベース３の上を前後スライドする。
【００２１】
背もたれ５は、前後に大きく開口した開口部１６を有するバックフレーム１７を備えており、図１に示すように、バックフレーム１７には、その開口部１６を塞ぐようにして第１バックシート（フロントバックシート）１８と第２バックシート（リアバックシート）１９とが取り付けられており、第１バックシート１８と第２バックシート１９との間に、薄いクッション板２０を介在させている。バックフレーム１７は樹脂製であるが、アルミ等のダイキャスト品を採用することも可能である。
【００２２】
バックフレーム１７は、開口部１６の左右両側に位置した上下長手のサイドメンバー２１と、左右サイドメンバー２１の上端と一体に繋がった左右長手のアッパメンバー２２と、左右サイドメンバー２１の下端に一体に繋がったロアメンバー２３とを有している。サイドメンバー２１とアッパメンバー２２とは細長い形態であるが、ロアメンバー２３は、上下巾が大きくて頑丈な構造になっている。
【００２３】
ロアメンバー２３の下端には、ベース３の左右両側に位置した左右一対の前向き突出部２４が一体に設けられており、左右前向き突出部２４の前端と中間金具９の後端部とに、左右横長のスライドピン２５を挿通している。スライドピン２５は、ベース３の左右側板３ａに設けた前後長手の前部ガイド穴２６に、ブッシュ２７を介して嵌まっている。従って、バックフレーム１７は、スライドピン２５を中心にして後傾動自在であると共に、前端はスライドピン２５を介して中間金具９と一緒に自在に前後動する。中間金具９の前進動は、コイルばね２８で弾性的に支持されている。
【００２４】
バックフレーム１７には、左右の前向き突出部２４を設けたことにより、上下方向と前方とに開口した前後長の溝空間２９が開いている。ロアメンバー２３には、溝空間２９と同じ横幅の上向き開口溝３０が形成されている。そして、溝空間２９の後部の左右内側面と上向き開口溝２９の左右内側面とに跨がった状態で、手前上側に向けて凹となるように側面視で緩く湾曲した後部ガイド溝３１が形成されており、この後部ガイド溝３１に、ベース３の後端に横向き突設したガイド突起３２を嵌め入れている。
【００２５】
このため、背もたれ５は、後部ガイド溝３０にガイドされながら後傾すると共に、前端は前部ガイド穴２６に案内されて前進動する。図１（Ｂ）に示すように、バックフレーム１７における左右前向き突出部２４の下面には、肘掛け６の基端部（肘支柱の基端部）が嵌まる肘用凹所３３を形成している。肘掛け６は、前向き突出部２４の上に配置された補強板３４にビスをねじ込むことで固定される。補強板３４は、座板１０の後部に嵌め込み装着されている。
【００２６】
(2).バックシートの取り付け構造
次に、図２に加えて図３〜５も参照して、バックシート１８，１９の取り付け構造を説明する。第１バックシート１８及び第２バックシート１９はメッシュ状の外観を呈しており、通気性と透光性とを有している。これらバックシート１８，１９は、図４，５に示すように、その外周縁に固定したテープ片（縁部材）３５，３６をバックフレーム１７に設けた第１及び第２の長溝３７，３８に嵌め込むことで、張った状態に保持されている。
【００２７】
図２，３に示すように、第１バックシート１８のテープ片３５が嵌まる第１長溝３７は、サイドメンバー２１及びアッパメンバー２２の外周面と、ロアメンバー２３の前面とに形成されている。すなわち、第１長溝３７は、サイドメンバー２１の外周面（左右外向き面）に形成したサイド第１長溝３７ａと、ロアメンバー２３の外周面（上面）に形成したアッパ第１長溝３７ｂと、ロアメンバー２３の前面に形成したロア第１長溝３７ｃとで構成されている。
【００２８】
サイド第１長溝３７ａとアッパ第１長溝３７ｂとは互いに連続しており、サイド第１長溝３７ａとロア第１長溝３７ｃとは連続していない。図３に明示するように、サイド第１長溝３７ａの下端はロア第１長溝３７ｃの左右端部よりや下に位置している。ロア第１長溝３７ｃは１本の構成であり、ロアメンバー２３の左右両端近くまで延びている。
【００２９】
図５（Ａ）（Ｂ）に示すように、サイドメンバー２１の前面は、左右内側に行くに従って後ろにずれるように傾斜しており、サイド第１長溝３７ａは、平断面視で概ねサイドメンバー２１の前面と平行な姿勢になっている。他方、アッパメンバー２２の前面は概ね鉛直姿勢になっており、アッパ第１長溝３７ｂは、縦断側面で鉛直線に対してやや前傾した姿勢になっている（鉛直姿勢にしたり後傾させたりしてしもよい。）。ロアメンバー２３の前面は鉛直線に対してやや前傾した姿勢になっており、ロア第１長溝３７ｃは、縦断側面視で水平に対してやや後傾した姿勢になっているが、水平姿勢や前傾姿勢にすることも可能である。
【００３０】
第２バックシート１９のテープ片３６が嵌まる第２長溝３８は、各メンバー２１，２２，２３の前面と各コーナー部とに形成されている。すなわち、第２長溝３８は、サイドメンバー２１の前面に形成したサイド第２長溝３７ｂと、アッパメンバー２２の前面に形成したアッパ第２長溝３７ｂと、ロアメンバー２３の前面に形成したロア第２長溝３７ｃと、４つのコーナー部に形成したコーナー第２長溝３８ｄとで構成されており、各第２長溝３８ａ〜３８ｄは互いに分断されている。また、サイド第２長溝３７ａとアッパ第２長溝３７ｂとロア第２長溝３７ｃとは、それぞれ複数本に分断されている。
【００３１】
図５に示すように、各サイド第２長溝３７ａは、平断面視でほぼ前後方向に向いた姿勢になっており、従って、アッパ第２長溝３７ｂとロア第２長溝３７ｃとは、縦断側面視でほぼ前後に向いた姿勢（略水平姿勢）になっている。図示していないが、コーナー第２長溝３８ｄも、バックフレーム１７の対角線を含む切断面で見ると、前後方向に向いた姿勢になっている。敢えて述べるまでもないが、第２長溝３８ａ〜３８ｄは第１長溝３７ａ〜３７ｃよりも内側（バックフレーム１７の内周寄り）に位置している。各長溝３７，３８は等しい溝巾に描いているが、実際には、型抜きを容易ならしめるため、若干の抜き勾配を付けることが多い。
【００３２】
既述のように、第１バックシート１８と第２バックシート１９との間にはクッション板２０が配置されているが、図５（Ｂ）（Ｃ）（Ｄ）に示すように、クッション板２０を配置せずに、第１バックシート１８のみを使用することも可能である。本実施形態では、クッション板２０を配置する場合、当該クッション板２０の周縁部をバックフレーム１７に重ねているが、クッション板２０をバックフレーム１７の内側に配置することも可能である。
【００３３】
第２長溝３８ａ〜３８ｄはバックフレーム１７の前面に形成されているため、クッション板２０を使用せずにバックフレーム１７に第１バックシート１８のみを張った場合でも、第２長溝３８ａ〜３８ｄは人が前から見ても殆ど視認されることはない。また、後ろから見た場合は、第２長溝３８ａ〜３８ｄは全く見えない。従って、第２バックシート１９及びクッション板２０を使用しない場合でも、美感が悪化することはない。
【００３４】
また、図５（Ａ）に示すように、人の体圧が第２バックシート１９に作用した場合、第２バックシート１９には、背もたれ５の中央部に引っ張られるようなＡ方向のテンションが作用するが、第２長溝３８は手前方向のＢ方向に開口しており、テンションの作用方向と第２長溝３８の開口方向とがおおよそ直交しているため、第２バックシート３８に作用したテンションがテープ片３６を第２長溝３８から抜き外すように作用することはない。このため、第２長溝３８が等巾又は抜き勾配を有するテーパ状であっても、テープ片３６は第２長溝３８に嵌まった状態に保持される。なお、第１バックシート１８と第２バックシート１９とを使用して、クッション板２０を使用しない態様も採用可能である。
【００３５】
実施形態では、ロア第１長溝３７ｃ及びロア第２長溝３８ｃとをいずれも前向きに開口させているが、それぞれ下向きに開口させたり、ロア第１長溝３７ｃは下向きに開口させて、ロア第２長溝３８ｃは前向きに開口させるといったことも可能である。
【００３６】
また、図５（Ｄ）に一点鎖線で示すように、バックフレーム１７におけるロアメンバー２３の前面に、左右横長の補助フレーム材２３′をねじ止め等の手段で固定し、この補助フレーム材２３′に、少なくともロア第１長溝３７ｃを形成することも可能である。図では、補助フレーム材２３′にはロア第１長溝３７ｃを形成した状態しか表示していないが、補助フレーム材２３′を設ける場合は、ロア第１長溝３７ｃとロア第２長溝３８ｃとの両方を補助フレーム材２３′に形成してもよい。
【００３７】
このように補助フレーム材２３′を使用することにより、ロアメンバー２３に前向き突出部２４を設けつつ、少なくとも第１ロア長溝３７ｃを下向き開口した形態として、第１バックシート１８の抜け防止機能を向上できる。ロア第２長溝３８ｃも下向きに開口させると、第２バックシート１９の取り付け強度をより向上できる。また、ロア第２長溝３８ｃは、前向きに開口させつつ手前に行くに従って下がるように傾斜させることも可能であり、この場合も、第２バックシート１９の抜け防止機能が格段に向上する。
【００３８】
(3).その他
本願発明は、上記の実施形態の他にも様々に具体化できる。例えば、適用対象はロッキング椅子に限定されるものではなく、劇場用椅子やパイプ椅子等の各種の椅子に適用できる。バックシートは、編地や織地など様々の構造のものを採用できる。縁部材はテープ状には限らず、棒状などであってもよい。
【００３９】
実施形態のバックフレームは単一構造品になっているが、例えば、左右サイドメンバーとアッパメンバーとを一体品として、これをロアメンバーに連結するというように、複数の部材で構成することも可能である。ロアメンバーが左右横長の棒状形態である場合は、ロア第１長溝をロアメンバーの下面に形成することも可能である。ロアメンバーの下面は人目に触れないので、ロアメンバーが棒状の場合は、第１長溝と第２長溝との両方をロアメンバーの下面に形成することも可能である。
【産業上の利用可能性】
【００４０】
本願発明は、椅子に具体化できる。従って、産業上利用できる。
【符号の説明】
【００４１】
１  脚
２  脚支柱
３  ベース
４  座
５  背もたれ
１６  開口部
１７  バックフレーム
１８  第１バックシート
１９  第２バックシート
２０  クッション板
２１  サイドメンバー
２２  アッパメンバー
２３  ロアメンバー
３５，３６  縁部材としてのテープ片
３７（３７ａ〜３７ｃ）  第１長溝
３８（３８ａ〜３８ｄ）  第２長溝
【図１】
0006008528.tif 000002
【図２】
0006008528.tif 000003
【図３】
0006008528.tif 000004
【図４】
0006008528.tif 000005
【図５】
0006008528.tif 000006